(57)【要約】【課題】本発明は、後処理ユニットを接続可能な画像形成装置、画像形成制御方法、画像形成制御プログラム及び記録媒体に関する。【解決手段】画像形成システム１は、着脱可能に装着された後処理ユニット群ＧＵの各後処理ユニットＧＵａ〜ＧＵｃを利用して後処理を行う場合に、後処理ユニットＧＵａ〜ＧＵｃの正常状態／異常状態を検出し、印刷ジョブで指定されている後処理の実行が可能であるか否かを判定して、該後処理の実行が不可能であると、タッチパネル付きディスプレイに該後処理の実行が不可能である旨の報知情報を出力して、タッチパネル付きディスプレイのタッチ操作等で該後処理が無効に設定されると、無効に設定された後処理を実行対象に含む印刷ジョブの実行を中断し、無効に設定された該後処理を実行対象に含まない印刷ジョブを優先して実行している。【選択図】          図１
2010280060.tif 000002
【特許請求の範囲】
【請求項１】
画像形成済の用紙に対して所定の後処理を実行する所定数の後処理ユニットが着脱手段によって機械的に着脱可能に装着され電気的接続手段によって電気的に離接可能に接続される画像形成装置において、
前記電気的接続手段を介して前記後処理ユニットの正常状態／異常状態を検出する状態検出手段と、
前記後処理状態検出手段の検出結果に基づいて印刷ジョブで指定されている後処理の実行が可能であるか否かを判定して該後処理の実行が不可能であると、所定の情報報知手段から該後処理の実行が不可能である旨の報知情報を出力させる報知制御手段と、
前記情報報知手段によって報知された前記後処理を少なくとも無効に設定する後処理設定手段と、
前記後処理設定手段で無効に設定された後処理を実行対象に含む前記印刷ジョブの実行を中断し、該後処理設定手段で無効に設定された該後処理を実行対象に含まない印刷ジョブを優先して実行するジョブ制御手段と、
を備えていることを特徴とする画像形成装置。
【請求項２】
前記後処理設定手段は、前記着脱手段による前記後処理ユニットの機械的装着の有無を装着状態検出手段を備え、該装着状態検出手段の検出結果に基づいて該後処理ユニットを利用する前記後処理の有効／無効を設定することを特徴とする請求項１記載の画像形成装置。
【請求項３】
前記後処理設定手段は、前記後処理毎にその有効／無効を設定する設定操作手段であることを特徴とする請求項１記載の画像形成装置。
【請求項４】
前記画像形成装置は、印刷ジョブの設定操作を行うジョブ操作手段を備え、
前記ジョブ制御手段は、前記状態検出手段が異常状態を検出している前記後処理ユニットを利用する前記後処理を実行対象に含む印刷ジョブの設定を禁止することを特徴とする請求項１から請求項３のいずれかに記載の画像形成装置。
【請求項５】
前記ジョブ制御手段は、異常状態となっていた前記後処理ユニットが正常に復帰したことを前記状態検出手段が検出すると、先に中断した前記印刷ジョブのうち正常に復帰した該後処理ユニットを利用する前記後処理を実行対象とする印刷ジョブの中断を解除して該印刷ジョブを実行することを特徴とする請求項１から請求項４のいずれかに記載の画像形成装置。
【請求項６】
画像形成済の用紙に対して所定の後処理を実行する所定数の後処理ユニットが着脱手段によって機械的に着脱可能に装着され電気的接続手段によって電気的に離接可能に接続される画像形成装置における画像形成制御方法であって、
前記後処理ユニットの正常状態／異常状態を検出する状態検出処理ステップと、
前記後処理状態検出処理ステップでの検出結果に基づいて印刷ジョブで指定されている後処理の実行が可能であるか否かを判定して該後処理の実行が不可能であると、所定の情報報知手段から該後処理の実行が不可能である旨の報知情報を出力させる情報報知処理ステップと、
前記情報報知処理ステップで報知された前記後処理を少なくとも無効に設定する後処理設定処理ステップと、
前記後処理設定処理ステップで無効に設定された前記後処理を実行対象に含む前記印刷ジョブの実行を中断し、該後処理設定処理ステップで無効に設定された該後処理を実行対象に含まない印刷ジョブを優先して実行するジョブ制御処理ステップと、
を有していることを特徴とする画像形成制御方法。
【請求項７】
画像形成済の用紙に対して所定の後処理を実行する所定数の後処理ユニットが着脱手段によって機械的に着脱可能に装着され電気的接続手段によって電気的に離接可能に接続される画像形成装置に実行させる画像形成制御プログラムであって、
コンピュータに、
前記後処理ユニットの正常状態／異常状態を検出する状態検出処理と、
前記後処理状態検出処理での検出結果に基づいて印刷ジョブで指定されている後処理の実行が可能であるか否かを判定して該後処理の実行が不可能であると、所定の情報報知手段から該後処理の実行が不可能である旨の報知情報を出力させる情報報知処理と、
前記情報報知処理で報知された前記後処理を少なくとも無効に設定する後処理設定処理と、
前記後処理設定処理で無効に設定された前記後処理を実行対象に含む前記印刷ジョブの実行を中断し、該後処理設定処理で無効に設定された該後処理を実行対象に含まない印刷ジョブを優先して実行するジョブ制御処理と、
を実行させることを特徴とする画像形成制御プログラム。
【請求項８】
請求項７記載の画像形成制御プログラムを記録したことを特徴とするコンピュータが読み取り可能な記録媒体。
【発明の詳細な説明】
【技術分野】
【０００１】
本発明は、画像形成装置、画像形成制御方法、画像形成制御プログラム及び記録媒体に関し、詳細には、後処理ユニットを接続可能な画像形成装置、該画像形成装置の画像形成制御方法、画像形成制御プログラム及び記録媒体に関する。
【背景技術】
【０００２】
用紙写装置、プリンタ装置、ファクシミリ装置、複合装置等の画像形成装置は、多機能化してきており、画像形成装置の多機能化に伴って、画像形成された用紙に対して、ステープル処理、パンチ処理、綴じ処理、折り処理等の後処理を施す後処理装置（後処理ユニット）が、着脱可能に接続可能な画像形成装置も出現してきている。
【０００３】
このような後処理装置が接続された画像形成装置は、従来、後処理装置に用紙ジャム等が発生したり、画像形成装置から後処理装置への用紙の搬入口で用紙ジャムが発生した場合、用紙ジャムの状態が完全に回復されるまで、後処理装置だけでなく、画像形成装置も使用することができなくなる。
【０００４】
そこで、従来、ユーザによる設定を全て反映させて画像形成を行う完全出力レベルとステープル機能の設定を無効にして画像形成を行う制限出力レベルを含む複数の画像形成レベルでの画像形成を可能とし、完全出力レベルで画像形成処理中にエラーが発生し、そのエラーはステープル処理の取り止めによって回避可能であると判断した場合、例えば発生したエラーが用紙なしエラーでかつステープル機能を使用する設定だった場合に、画像形成レベルを制限出力レベルに変更することで、ステープル機能の設定を無効にして画像形成処理を継続する技術が提案されている（特許文献１参照）。
【発明の概要】
【発明が解決しようとする課題】
【０００５】
しかしながら、上記従来技術にあっては、画像形成処理中のジョブが後処理装置を使用することなく処理可能なジョブであると、後処理装置を画像形成装置から取り外して、後処理装置への画像形成済み用紙の排紙を行うことなくジョブを継続して、利用性の向上を図っているため、異常状態となった後処理装置を無効化するために装置を取り外し、また、後処理装置を取り外すために、画像形成装置本体の電源をオフにする必要がある。その結果、ダウンタイムが発生して画像形成装置を利用することができず、また、ジョブ投入処理のやり直しが必要となり、多くの待ち時間ややり直し時間を費やすこととなり、利用性を向上させる上で、改良の必要があった。さらに、後処理を行うことなく出力した用紙に対して手作業等によってステープル等の後処理を行う必要がある。
【０００６】
そこで、本発明は、着脱可能に接続される後処理ユニットの適切かつ効率的な利用を図って、利用性の良好な画像形成装置、画像形成制御方法、画像形成制御プログラム及び記録媒体を提供することを目的としている。
【課題を解決するための手段】
【０００７】
本発明は、上記目的を達成するために、着脱可能に装着された後処理ユニットを利用して後処理を行う場合に、前記後処理ユニットの正常状態／異常状態を検出し、印刷ジョブで指定されている後処理の実行が可能であるか否かを判定して該後処理の実行が不可能であると、所定の情報報知手段から該後処理の実行が不可能である旨の報知情報を出力して、後処理設定手段で無効に設定されると、無効に設定された後処理を実行対象に含む印刷ジョブの実行を中断し、無効に設定された該後処理を実行対象に含まない印刷ジョブを優先して実行することを特徴としている。
【０００８】
また、本発明は、前記後処理ユニットの機械的装着の有無を検出して、該検出結果に基づいて該後処理ユニットを利用する前記後処理の有効／無効を設定し、無効に設定された後処理を実行対象に含む前記印刷ジョブの実行を中断して、該後処理設定手段で無効に設定された該後処理を実行対象に含まない印刷ジョブを優先して実行することを特徴としてもよい。
【０００９】
さらに、本発明は、前記後処理毎にその有効／無効を設定し、無効に設定された後処理を実行対象に含む前記印刷ジョブの実行を中断して、該後処理設定手段で無効に設定された該後処理を実行対象に含まない印刷ジョブを優先して実行することを特徴としてもよい。
【００１０】
また、本発明は、異常状態を検出している前記後処理ユニットを利用する前記後処理を実行対象に含む印刷ジョブの設定を禁止することを特徴としてもよい。
【００１１】
さらに、本発明は、異常状態となっていた前記後処理ユニットが正常に復帰したことを検出すると、先に中断した前記印刷ジョブのうち正常に復帰した該後処理ユニットを利用する前記後処理を実行対象とする印刷ジョブの中断を解除して該印刷ジョブを実行することを特徴としてもよい。
【発明の効果】
【００１２】
本発明によれば、着脱可能に接続される後処理ユニットの適切かつ効率的な利用を図って、利用性を向上させることができる。
【図面の簡単な説明】
【００１３】
【図１】本発明の一実施例を適用した画像形成システムの正面概略構成図。
【図２】画像形成システムの要部ブロック構成図。
【図３】タッチパネル付きディスプレイのコピーモード画面の一例を示す図。
【図４】後処理ユニット有効／無効設定画面の一例を示す図。
【図５】印刷ジョブ制御処理を示すフローチャート。
【図６】後処理利用可否判断処理を示すフローチャート。
【図７】後処理ユニット異常判断処理を示すフローチャート。
【図８】後処理異常時のジョブ割り込み処理を示すフローチャート。
【図９】後処理正常復帰時のジョブ再開処理を示すフローチャート。
【発明を実施するための形態】
【００１４】
以下、本発明の好適な実施例を添付図面に基づいて詳細に説明する。なお、以下に述べる実施例は、本発明の好適な実施例であるので、技術的に好ましい種々の限定が付されているが、本発明の範囲は、以下の説明によって不当に限定されるものではなく、また、本実施の形態で説明される構成の全てが本発明の必須の構成要件ではない。
【実施例１】
【００１５】
図１〜図９は、本発明の画像形成装置、画像形成制御方法、画像形成制御プログラム及び記録媒体の一実施例を示す図であり、図１は、本発明の画像形成装置、画像形成制御方法、画像形成制御プログラム及び記録媒体の一実施例を適用した画像形成システム１の正面概略構成図である。
【００１６】
図１において、画像形成システム１は、複合装置（画像形成装置）ＦＵ、給紙ユニットＫＵ１、大容量給紙ユニットＫＵ２及び後処理ユニット群ＧＵ等を備えており、後処理ユニット群ＧＵは、複数の後処理ユニットＧＵａ〜ＧＵｃ等を備えている。
【００１７】
後処理ユニットＧＵａ〜ＧＵｃとしては、例えば、インサーター、折り機能ユニット、パンチ機能ユニット、フィニッシャー等を備えている。
【００１８】
インサーターは、複合装置ＦＵで画像形成された用紙の途中に製本用の表紙や合紙を挿入する合紙挿入処理を施し、折り処理機能ユニットは、画像形成された用紙を折り込む折り処理を行う。パンチ処理機能ユニットは、複数のパンチユニット（穴開けユニット）を切り換えて、また、組み合わせて動作させ、用紙に対して種々の位置、数、大きさ等の穴開け条件に対応するパンチ穴を開けるパンチ処理を行う。フィニッシャーは、画像形成済の用紙を複数枚まとめて、該用紙の所定の位置（例えば、左端２カ所、左上隅等）にステープル処理、テープ製本やリング製本、シュア製本等を施し、また、製本した用紙を最終的なサイズに断裁する断裁処理を施して側面に設けられている排紙トレイＴＬに排出、または、後処理機能ユニットＧＵｂから送り込まれてきた用紙をそのまま排紙トレイＴＬに排出する。また、後処理ユニット群ＧＵは、フィニッシャーが、ステープラ処理用のステープル、背を紙工用ボンドで固める無線綴じ製本（くるみ製本）のための接着剤、テープ製本のためのテープ、リング製本のためのリング、シュア製本のためのバインドストリップ等の製本用消耗品を格納する消耗品格納ユニット（図示略）を備えていてもよい。
【００１９】
また、後処理ユニット群ＧＵは、ステープラ処理で発生する画像形成済み用紙の枚数によってステープルをカットする際のステープル切り屑、パンチ処理で発生する画像形成済み用紙にパンチ穴を開ける際のパンチ屑、製本処理で発生する三方仕上げ裁ちや無線綴じにおけるミーリング処理の際の断裁屑のような残滓を格納するための残滓回収ユニット（図示略）を備えていてもよい。
【００２０】
給紙ユニットＫＵ１及び大容量給紙ユニットＫＵ２は、それぞれ複数の給紙トレイを備え、各給紙トレイには、それぞれ用紙サイズ、用紙厚等の用紙種別の異なる複数枚の用紙を収納可能である。給紙ユニットＫＵ１及び大容量給紙ユニットＫＵ２は、画像形成に際して指定された給紙トレイ内の用紙を１枚ずつ複合装置ＦＵに搬送する。
【００２１】
複合装置ＦＵは、図２に示すように、システム制御部１０、ジョブ制御部１１、機能制御部１２、情報表示制御部１３及びシリアルＩ／Ｆ１４等を備えているとともに、図示しないが、画像形成部、画像読み取り部、ファクシミリ通信部、ネットワーク通信部及び操作部等を備えており、システム制御部１０の制御下で、機能制御部１２を制御して、画像読み取り部による原稿画像の読み取り処理、ファクシミリ通信部によるファクシミリ通信処理、ネットワーク通信部によるネットワーク（ＬＡＮ（Local Area Network）やインターネット等）に接続されているコンピュータ等の端末装置とのデータの送受信処理等を行って、該読み取り処理、ファクシミリ受信処理、データ受信処理で取得したデータに基づいて画像形成部で給紙ユニットＫＵ１や大容量給紙ユニットＫＵ２から送られてきた用紙に画像を形成する。
【００２２】
複合装置ＦＵは、操作表示部によって、画像形成部で画像形成した用紙に後処理（パンチ、ステープル、折り処理等）を施す設定が行われている場合には、画像形成部で画像形成した用紙を後処理ユニット群ＧＵの１段目の後処理ユニットＧＵａに送り出す。
【００２３】
そして、操作表示部は、複合装置ＦＵの動作を指示する各種操作キーが設けられているとともに、図３に示すように、タッチパネル付きディスプレイ（情報報知手段、後処理設定手段）３０を備えている。タッチパネル付きディスプレイ３０は、例えば、コピーモードにおいては、図３に示すようなコピーモード画面Ｇ１を表示し、このコピーモード画面Ｇ１には、コピー処理における各種設定に必要な機能ボタンを表示して、該機能ボタンがタッチ操作されると、操作された該機能ボタンが反転表示等によって操作されたことを明示する表示を行う。
【００２４】
本実施例のタッチパネル付きディスプレイ３０は、コピーモード等の画像形成モードにおいて、特に、図３に示すように、実行する後処理機能を選択する後処理機能選択ボタン群３１が表示され、図３では、後処理機能選択ボタン群３１として、ソート、スタック、ステープルが表示されている状態を示している。また、タッチパネル付きディスプレイ３０は、図４に示すように、複合装置ＦＵに接続されている複数の後処理ユニットＧＵａ〜ＧＵｃを選択して、有効／無効に設定する後処理有効／無効設定画面Ｇ２を表示し、図４の後処理有効／無効設定画面Ｇ２では、挿入ユニット、パンチユニット、製本ユニット、折りユニット、ステープルユニット及び断裁ユニットのユニット選択ボタンと有効及び無効の選択ボタンが表示されている状態を示している。
【００２５】
そして、複合装置ＦＵのシステム制御部（状態検出手段、後処理設定手段）１０は、ＣＰＵ（Central Processing Unit ）、ＲＯＭ（Read Only Memory）、ＲＡＭ（Random Access Memory）等を備えており、ＲＯＭ内に、複合装置１としての基本プログラムや本発明の後処理ユニット群異常時の動作制御処理を実行する画像形成制御プログラム及び必要なシステムデータを格納している。システム制御部１０は、ＣＰＵがＲＯＭ内のプログラムに基づいて、後処理ユニット群ＧＵの接続された複合装置ＦＵ、すなわち、複合装置ＦＵ及び画像形成制御システム１の各部を制御して複合装置ＦＵ及び画像形成制御システム１としての基本処理及び後述する後処理ユニット群異常時の動作制御処理を実行する。
【００２６】
すなわち、画像形成システム１は、複合装置ＦＵが、ＲＯＭ、ＥＥＰＲＯＭ（Electrically Erasable and Programmable Read Only Memory ）、ＥＰＲＯＭ、フラッシュメモリ、フレキシブルディスク、ＣＤ−ＲＯＭ（Compact Disc Read Only Memory ）、ＣＤ−ＲＷ（Compact Disc Rewritable ）、ＤＶＤ（Digital Video Disk）、ＳＤ（Secure Digital）カード、ＭＯ（Magneto-Optical Disc）等のコンピュータが読み取り可能な記録媒体に記録されている本発明の画像形成制御方法を実行する画像形成制御プログラムを読み込んでＲＯＭやハードディスク等の不揮発性メモリに導入することで、後述する後処理ユニット群ＧＵが異常状態のときに適切に複合装置ＦＵの動作処理を行う画像形成制御方法を実行する画像形成制御装置として構築されている。この画像形成制御プログラムは、アセンブラ、Ｃ、Ｃ＋＋、Ｃ＃、Ｊａｖａ（登録商標）等のレガシープログラミング言語やオブジェクト指向ブログラミング言語等で記述されたコンピュータ実行可能なプログラムであり、上記記録媒体に格納して頒布することができる。
【００２７】
ジョブ制御部（ジョブ制御手段）１１は、利用者が複合装置ＦＵを操作して要求してきた印刷ジョブやネットワークを経由して端末装置から送られてくる印刷ジョブを受け付け、受け付けた印刷ジョブの情報を内部の記憶部に保管する。ジョブ制御部１２が内部記憶部に記憶するジョブ情報としては、例えば、出力サイズ、部数等の印刷情報、ステープルやパンチ等の後処理（仕上げ処理）に関する情報等が含まれている。
【００２８】
機能制御部１２は、印刷および後処理を利用する各種機能（カラーコピー、ステープル、パンチ等）の利用可否を管理し、複合装置ＦＵ及び後処理ユニット群ＧＵの状態から利用可能な機能を判断する。
【００２９】
情報表示制御部（報知制御手段）１３は、システム制御部１０の制御下で、操作表示部のタッチパネル付きディスプレイ３０の表示制御を行い、ジョブ制御部１１の受け付けた印刷ジョブの実行状況、複合装置ＦＵまたは後処理ユニット群ＧＵの機械的状態の表示や機能制御部１２で判断された機能の利用可否に応じて利用者の選択可能な機能を、操作表示部のタッチパネル付きディスプレイ３０に表示させる。複合装置ＦＵと第１段目の後処理ユニットＧＵａ及び各後処理ユニットＧＵａ〜ＧＵｃ間が、図示しない着脱機構部（着脱手段）によって機械的に着脱可能に装着される。
【００３０】
この複合装置ＦＵに、後処理ユニット群ＧＵが接続されており、後処理ユニット群ＧＵは、例えば、上述のように、複数の後処理ユニットＧＵａ〜ＧＵｃで構成されている。後処理ユニット群ＧＵは、各後処理ユニットＧＵａ〜ＧＵｃが機械的及び電気的に接続され、図２に示すように、後処理制御部２０、後処理異常検知部２１、後処理機能制御部２２及びシリアルＩ／Ｆ２３等を備えている。
【００３１】
また、情報表示部１４の表示において、複合装置ＦＵに接続された各種後処理機能を選択し、有効／無効の選択機能ボタンを操作することで、利用する後処理機能を選択することができる。
【００３２】
複合装置ＦＵのシリアルＩ／Ｆ１４と後処理群ＧＵのシリアルＩ／Ｆ２３がシリアルケーブルＳＣで接続されており、シリアルＩ／Ｆ１４とシリアルＩ／Ｆ２３は、複合装置ＦＵと後処理ユニット群ＧＵとの間で画像形成及び後処理を行う上で必要な各種信号の授受を行う。
【００３３】
後処理ユニット群ＧＵは、複合装置ＦＵの設定によって接続されている後処理ユニットＧＵａ〜ＧＵｃによって、複合装置ＦＵから送り込まれてくる画像形成済の用紙に対して、設定に応じた後処理を施して、排紙トレイＴＬに排出し、また、後処理が設定されていないときには、後処理を施すことなく、排紙トレイＴＬに用紙を排出する。
【００３４】
後処理異常検知部２１は、複合装置ＦＵの排紙部に後処理ユニット群ＧＵが装着されたときに、複合装置ＦＵに設けられている図示しない後処理装着検知スイッチをオンさせる。したがって、後処理異常検知部２１及び図示しない後処理装着検知スイッチは、全体として、装着状態検出手段として機能している。
【００３５】
後処理機能制御部２２は、後処理制御部２０の制御下で、接続されている後処理ユニットＧＵａ〜ＧＵｃの動作を制御して、複合装置ＦＵの排出口から送り込まれてくる用紙に対して、複合装置ＦＵによって設定されている後処理を施した後に排紙トレイＴＬに用紙を排出させる。
【００３６】
後処理制御部２０は、シリアルＩ／Ｆ２３を介して複合装置ＦＵと通信を行って、後処理制御に必要な各種情報の送受信を行うとともに、複合装置ＦＵから指示された後処理の内容に応じて後処理機能制御部２２を介して後処理ユニットＧＵａ〜ＧＵｃの動作を制御する。また、後処理制御部２０は、各後処理ユニットＧＵａ〜ＧＵｃの正常状態／異常状態を検出して、複合装置ＦＵのシステム制御部１０に通知し、システム制御部１０は、後処理制御部２０からの正常状態／異常状態通知によって、各後処理ユニットＧＵａ〜ＧＵｃの正常状態／異常状態を検出する状態検出手段として機能する。この後処理ユニットＧＵａ〜ＧＵｃで発生する異常状態は、例えば、用紙ジャム発生状態、断裁屑等の残滓を格納するための残滓回収ユニットの満杯状態、ステープル等の製本用消耗品を格納する消耗品格納ユニット内の消耗品エンド状態等である。
【００３７】
次に、本実施例の作用を説明する。本実施例の画像形成システム１は、後処理ユニット群ＧＵの各後処理ユニットＧＵａ〜ＧＵｃにおける異常の有無に応じて印刷ジョブの制御を行う。
【００３８】
すなわち、画像形成システム１は、複合装置ＦＵに複数の後処理ユニットＧＵａ〜ＧＵｃからなる後処理ユニット群ＧＵが接続されており、印刷ジョブの投入時に後処理ユニット群ＧＵの後処理ユニットＧＵａ〜ＧＵｃの必要な後処理機能を使用した後処理の実行が指定されると、該後処理機能を使用した後処理を実行するが、後処理ユニット群ＧＵに異常状態の後処理ユニットＧＵａ〜ＧＵｃがあると、該異常の後処理ユニットＧＵａ〜ＧＵｃの利用を禁止するとともに、正常な後処理ユニットＧＵａ〜ＧＵｃの使用を許可した印刷ジョブの実行を行う。
【００３９】
まず、画像形成システム１は、図５に示すように、複合装置ＦＵの操作表示部からの設定操作またはネットワークに接続された端末装置での設定操作による印刷ジョブが発生すると（ステップＳ１０１）、システム制御部１０が該印刷ジョブの受け付けを行って、該印刷ジョブが後処理を利用する印刷ジョブであるか否かを判断し（ステップＳ１０２）、後処理を利用する印刷ジョブであると、該印刷ジョブで利用の要求されている後処理ユニットＧＵａ〜ＧＵｃの使用が可能であるか否かの後処理利用可否判断処理を行う（ステップＳ１０３）。
【００４０】
ステップＳ１０３で、印刷ジョブで利用設定されている後処理ユニットＧＵａ〜ＧＵｃの利用が可能であると、システム制御部１０は、該印刷ジョブの実行が可能であるか判断し（ステップＳ１０４）、印刷ジョブの実行が可能であると、該印刷ジョブの実行を行う（ステップＳ１０５）。
【００４１】
ステップＳ１０４で、印刷ジョブの実行が不可能なときには、システム制御部１０は、該印刷ジョブの受け付けが不可能である旨を通知して、処理を終了する（ステップＳ１０６）。システム制御部１０は、この印刷ジョブ受け付け不可通知は、例えば、操作表示部のタッチパネル付きディスプレイ３０にその旨のメッセージを表示し、または、端末装置にその旨のメッセージを送信することで行う。
【００４２】
ステップＳ１０３で、印刷ジョブで利用の要求されている後処理ユニットＧＵａ〜ＧＵｃの利用が不可能なときには、システム制御部１０は、該印刷ジョブの受け付けが不可能である旨を通知して、処理を終了する（ステップＳ１０６）。システム制御部１０は、この印刷ジョブ受け付け不可通知を、例えば、操作表示部のタッチパネル付きディスプレイ３０にその旨のメッセージを表示し、または、端末装置にその旨のメッセージを送信することで行うが、後処理ユニットＧＵａ〜ＧＵｃの使用が不可能なために印刷ジョブの受け付けができないときには、その旨のメッセージをも追加してもよい。
【００４３】
そして、システム制御部１０は、ステップＳ１０３の後処理利用可否判断処理を、図６に示すように実行する。すなわち、システム制御部１０は、後処理利用可能可否設定の確認処理を行って（ステップＳ２０１）、後処理ユニットＧＵａ〜ＧＵｃの利用が不可能であると、印刷ジョブの受け付けが不可能である旨の通知（ジョブ受け付け不可通知）を行って、処理を終了する（ステップＳ２０２）。システム制御部１０は、このジョブ受け付け不可通知を、上記同様に、例えば、操作表示部のタッチパネル付きディスプレイ３０にその旨のメッセージを表示し、または、端末装置にその旨のメッセージを送信することで行うが、後処理ユニットＧＵａ〜ＧＵｃの使用が不可能なために印刷ジョブの受け付けができないときには、その旨のメッセージをも追加してもよい。
【００４４】
ステップＳ２０１で、印刷ジョブで指定されている後処理ユニットＧＵａ〜ＧＵｃが利用可能に設定されているときには、システム制御部１０は、印刷ジョブで指定されている該後処理ユニットＧＵａ〜ＧＵｃの状態を後処理ユニット群ＧＵからの信号に基づいて確認し（ステップＳ２０３）、該後処理ユニットＧＵａ〜ＧＵｃが異常のときには、印刷ジョブの受け付けが不可能である旨の通知（ジョブ受け付け不可通知）を行って、処理を終了する（ステップＳ２０２）。
【００４５】
ステップＳ２０３で、印刷ジョブで指定されている後処理ユニットＧＵａ〜ＧＵｃが正常であると、システム制御部１０は、要求された後処理ユニットＧＵａ〜ＧＵｃを使用した印刷ジョブを実行し、印刷ジョブが完了すると、処理を終了する（ステップＳ２０４）。
【００４６】
また、システム制御部１０は、図６のステップＳ２０３における後処理ユニットＧＵａ〜ＧＵｃの異常有無の判断処理を、図７に示すように行う。すなわち、システム制御部１０は、シリアルＩ／Ｆ１４、シリアルケーブルＳＣ及びシリアルＩ／Ｆ２３を介して後処理ユニット群ＧＵのうち印刷ジョブで利用する後処理ユニットＧＵａ〜ＧＵｃの異常の有無を後処理ユニット群ＧＵに問い合わせ（ステップＳ３０１）、後処理ユニット群ＧＵは、後処理制御部２０が、後処理異常検知部２１の検出結果及び各後処理ユニットＧＵａ〜ＧＵｃの異常の有無を検出して検出結果を、シリアルＩ／Ｆ２３、シリアルケーブルＳＣ及びシリアルＩ／Ｆ１４を介して複合装置ＦＵに送る。
【００４７】
システム制御部１０は、後処理ユニット群ＧＵから送られてきた異常検出結果に基づいて、印刷ジョブで要求されている後処理機能を実行することが可能であるか否か判断し、実行することができないときには、後処理機能利用不可設定を行い（ステップＳ３０２）、また、後処理ユニット群ＧＵに異常が発生している旨の後処理異常通知を行う（ステップＳ３０３）。
【００４８】
この場合、複合装置ＦＵは、後処理異常検知部２１による後処理ユニットＧＵａ〜ＧＵｃの装着の取り外しの検出またはタッチパネル付きディスプレイ３０の後処理有効／無効設定画面Ｇ２での後処理を指定した無効操作に応じて後処理の無効設定を行う。
【００４９】
そして、システム制御部１０は、図８に示すように、後処理ユニット群ＧＵに異常があるとき（後処理異常時）のジョブ割り込み処理を行う。すなわち、システム制御部１０は、印刷ジョブが実行対象としている後処理ユニットＧＵａ〜ＧＵｃに異常があって該印刷ジョブを受け付けられないときは、他に待機している印刷ジョブ（待機印刷ジョブ）があるかチェック（サーチ）し（ステップＳ４０１）、待機印刷ジョブの有無を判定する（ステップＳ４０２）。
【００５０】
ステップＳ４０２で、待機印刷ジョブがないときには、ジョブの割り込みを行うことができないため、システム制御部１０は、そのまま処理を終了し、待機印刷ジョブがあるときには、図５のステップＳ１０１に戻って、割り込みを発生して、該印刷ジョブの受け付けから上記同様に処理する。
【００５１】
そして、システム制御部１０は、異常の発生していた後処理ユニットＧＵａ〜ＧＵｃが正常に復帰したときには、図９に示すように、印刷ジョブの復帰処理を行う。すなわち、システム制御部１０は、異常の発生していた後処理機能の後処理ユニットＧＵａ〜ＧＵｃの正常／異常をサーチする（ステップＳ５０１）。すなわち、システム制御部１０は、シリアルＩ／Ｆ１４、シリアルケーブルＳＣ及びシリアルＩ／Ｆ２３を介して後処理ユニット群ＧＵのうち印刷ジョブで利用する後処理ユニットＧＵａ〜ＧＵｃの異常の有無を後処理ユニット群ＧＵに問い合わせ、後処理ユニット群ＧＵが、後処理異常検知部２１の検出結果及び各後処理ユニットＧＵａ〜ＧＵｃの異常の有無を検出して検出結果を、シリアルＩ／Ｆ２３、シリアルケーブルＳＣ及びシリアルＩ／Ｆ１４を介して複合装置ＦＵに送る。
【００５２】
システム制御部１０は、後処理ユニット群ＧＵからの検出結果に基づいて該後処理機能の利用が可能であると、該後処理ユニットＧＵａ〜ＧＵｃの利用を利用可に設定し（ステップＳ５０２）、待機印刷ジョブのうち、該後処理ユニットＧＵａ〜ＧＵｃを利用する印刷ジョブ（中断待機印刷ジョブ）があるか調査（サーチ）して（ステップＳ５０３）、中断待機印刷ジョブの有無を判定する（ステップＳ５０４）。
【００５３】
ステップＳ５０４で、中断待機印刷ジョブがないときには、そのまま処理を終了し、中断待機印刷ジョブが存在するときには、図５のステップＳ１０１に戻って、割り込みを発生して、印刷ジョブの受け付けから上記同様に処理する。
【００５４】
このように、本実施例の画像形成システム１は、着脱可能に装着された後処理ユニット群ＧＵの各後処理ユニットＧＵａ〜ＧＵｃを利用して後処理を行う場合に、後処理ユニットＧＵａ〜ＧＵｃの正常状態／異常状態を検出し、印刷ジョブで指定されている後処理の実行が可能であるか否かを判定して該後処理の実行が不可能であると、タッチパネル付きディスプレイ３０に該後処理の実行が不可能である旨の報知情報を出力して、タッチパネル付きディスプレイ３０のタッチ操作や後処理ユニットＧＵａ〜ＧＵｃの機械的な取り外しによって該後処理が無効に設定されると、無効に設定された後処理を実行対象に含む印刷ジョブの実行を中断し、無効に設定された該後処理を実行対象に含まない印刷ジョブを優先して実行している。
【００５５】
したがって、印刷ジョブで指定されている後処理を実行するのに必要な後処理ユニットＧＵａ〜ＧＵｃに異常が発生した場合に、画像形成システム１の全ての動作を一旦停止させて電源を遮断した後に、異常の後処理ユニットＧＵａ〜ＧＵｃを取り外したり、復旧作業を行うことなく、該異常の後処理ユニットＧＵａ〜ＧＵｃを利用した後処理を実行対象としない他の印刷ジョブを割り込ませることで優先して実行することができ、画像形成装置である複合装置ＦＵの利用性を向上させることができる。
【００５６】
また、本実施例の画像形成システム１は、着脱機構部による後処理ユニットＧＵａ〜ＧＵｃの機械的装着の有無を後処理異常検知部２１で検出して、該検出結果に基づいて後処理ユニットＧＵａ〜ＧＵｃを利用する後処理の有効／無効を設定している。
【００５７】
したがって、画像形成システム１全体の電源を切ることなく、異常の発生した後処理ユニットＧＵａ〜ＧＵｃを機械的装着状態から解除するだけで、異常の発生した後処理ユニットＧＵａ〜ＧＵｃを使用した後処理を実行対象とする印刷ジョブの実行を中断して、該後処理ユニットＧＵａ〜ＧＵｃを利用しない印刷ジョブを優先して実行することができ、より一層利用性を向上させることができる。
【００５８】
さらに、本実施例の画像形成システム１は、タッチパネル付きディスプレイ３０の後処理有効／無効設定画面Ｇ２で、挿入ユニット、パンチユニット、製本ユニット、折りユニット、ステープルユニット及び断裁ユニッ等の後処理毎にその有効／無効を設定する。
【００５９】
したがって、画像形成システム１全体の電源を切ることなく、異常の発生した後処理ユニットＧＵａ〜ＧＵｃをタッチ付きディスプレイ３０で無効に設定するだけで、異常の発生した後処理ユニットＧＵａ〜ＧＵｃを使用した後処理を実行対象とする印刷ジョブの実行を中断して、該後処理ユニットＧＵａ〜ＧＵｃを利用しない印刷ジョブを優先して実行することができ、より一層利用性を向上させることができる。
【００６０】
また、本実施例の画像形成システム１は、異常状態であることが検出されている後処理ユニットＧＵａ〜ＧＵｃを利用する後処理を実行対象に含む印刷ジョブの設定を禁止している。
【００６１】
したがって、適切に実行可能な後処理を実行対象とする印刷ジョブのみを受け付けて、実行不可能な後処理を実行対象とする印刷ジョブによる異常状態が連続して発生することを防止して、印刷ジョブの実行を適切に行うことができ、利用性をより一層向上させることができる。
【００６２】
さらに、本実施例の画像形成システム１は、異常状態となっていた後処理ユニットＧＵａ〜ＧＵｃが正常に復帰すると、先に中断した印刷ジョブのうち正常に復帰した該後処理ユニットＧＵａ〜ＧＵｃを利用する後処理を実行対象とする印刷ジョブの中断を解除して該印刷ジョブを実行している。
【００６３】
したがって、後処理ユニットＧＵａ〜ＧＵｃの異常によって中断した印刷ジョブを再度投入することなく、再開することができ、複合装置ＦＵの利用性をより一層向上させることができる。
【００６４】
以上、本発明者によってなされた発明を好適な実施例に基づき具体的に説明したが、本発明は上記実施例で説明したものに限定されるものではなく、その要旨を逸脱しない範囲で種々変更可能であることはいうまでもない。
【産業上の利用可能性】
【００６５】
本発明は、後処理ユニットが着脱可能に装着されるプリンタ装置、複写装置、複合装置等の画像形成装置、画像形成制御方法、画像形成制御プログラム及び記録媒体に利用することができる。
【符号の説明】
【００６６】
１  画像形成システム
ＦＵ  複合装置
ＫＵ１  給紙ユニット
ＫＵ２  大容量給紙ユニット
ＧＵ  後処理ユニット群
ＧＵａ〜ＧＵｃ  後処理ユニット
ＴＬ  排紙トレイ
１０  システム制御部
１１  ジョブ制御部
１２  機能制御部
１３  情報表示制御部
１４  シリアルＩ／Ｆ
２０  後処理制御部
２１  後処理異常検知部
２２  後処理機能制御部
２３  シリアルＩ／Ｆ
３０  タッチパネル付きディスプレイ
Ｇ１  コピーモード画面
Ｇ２  後処理有効／無効設定画面
【先行技術文献】
【特許文献】
【００６７】
【特許文献１】特許第４１１８２７４号公報
【図１】
2010280060.tif 000003
【図２】
2010280060.tif 000004
【図３】
2010280060.tif 000005
【図４】
2010280060.tif 000006
【図５】
2010280060.tif 000007
【図６】
2010280060.tif 000008
【図７】
2010280060.tif 000009
【図８】
2010280060.tif 000010
【図９】
2010280060.tif 000011